(57)【要約】【課題】  使用時と収納時に面倒な複数部品の組立て・分解作業の必要がなく取り扱いに便利な床置き型盆提灯の提供。【解決手段】  螺旋状に巻かれた骨１とその外周に紙等を張って袋状にした伸縮自在な火袋２と、火袋２の上下の口につける筒状の枠で木製又はプラスチック製の上加輪枠３と下加輪枠４と、下加輪枠４に備えるローソクや電球等の光源と、使用時に火袋を伸ばした使用形態に維持する上加輪枠と下加輪枠との間に装着する複数の支持柱とで構成され、複数の伸縮棒支持柱が複数段に伸縮可能な伸縮棒６で構成されている。【選択図】      図３
0003214332.tif 000002
【実用新案登録請求の範囲】
【請求項１】
螺旋状に巻かれた骨とその外周に紙等を張って袋状にした伸縮自在な火袋と、火袋の上下の口につける筒状の枠で木製又はプラスチック製の上加輪枠と下加輪枠と、下加輪枠に備えるローソクや電球等の光源と、使用時に火袋を伸ばした使用形態に維持する上加輪枠と下加輪枠との間に装着固定する複数の支持柱とで構成され、
前記複数の支持柱が複数段に伸縮可能な伸縮棒で構成されていることを特徴とする床置き型盆提灯。
【考案の詳細な説明】
【技術分野】
【０００１】
本考案は、伸縮式で組立て分解不要の床置き型盆提灯に関する。
【背景技術】
【０００２】
従来、床置き型盆提灯は、螺旋状に巻かれた骨とその外周に紙等を張って袋状にした伸縮自在な火袋と、火袋の上下の口につける筒状の枠で木製又はプラスチック製の上加輪と下加輪と、下加輪に備えるローソクや電球等の光源と、使用時に火袋を伸ばした使用形態に維持する上加輪枠と下加輪枠との間に装着する複数の支持棒等で構成されている（特許文献１参照）。
従って、収納時には、上加輪枠と下加輪枠との間に装着された複数の支持棒を取り外して火袋を縮めた状態で、複数の支持棒等と共に収納箱に収納する。
【先行技術文献】
【特許文献】
【０００３】
【特許文献１】特開平２０１３−４５６１４
【考案の概要】
【考案が解決しようとする課題】
【０００４】
しかしながら、従来例の組立て式の床置き型盆提灯にあっては、上述のように、使用時には組立て、収納時には分解収納という極めて面倒な作業が必要であるという問題があった。
【０００５】
本考案の解決しようとする課題は、使用時と収納時に面倒な組立て・分解作業の必要がなく取り扱いに便利な床置き型盆提灯を提供することにある。
【課題を解決するための手段】
【０００６】
上記課題を解決するため請求項１記載の床置き型盆提灯は、螺旋状に巻かれた骨とその外周に紙等を張って袋状にした伸縮自在な火袋と、火袋の上下の口につける筒状の枠で木製又はプラスチック製の上加輪枠と下加輪枠と、下加輪枠に備えるローソクや電球等の光源と、使用時に火袋を伸ばした使用形態に維持する上加輪枠と下加輪枠との間に装着固定する複数の支持柱とで構成され、
前記複数の支持柱が複数段に伸縮可能な伸縮棒で構成されていることを特徴とする手段とした。
【考案の効果】
【０００７】
請求項１記載の床置き型盆提灯では、上述のように、前記複数の支持柱が複数段に伸縮可能な伸縮棒で構成されることで、床置き型盆提灯の使用時には伸縮棒を伸ばすだけで組立ての手間がかからず、収納する時は伸縮棒を縮めるだけでそのままコンパクトに収納することができる。
従って、使用時と収納時に面倒な複数部品の組立て・分解作業の必要がなく取り扱いに極めて便利であるという効果が得られる。
【図面の簡単な説明】
【０００８】
【図１】実施例１の床置き型盆提灯の使用形態を示す正面図である。
【図２】実施例１の床置き型盆提灯の収納状態を示す正面図である。
【図３】実施例１の床置き型盆提灯の使用形態を示す縦断正面図である。
【図４】実施例１の床置き型盆提灯の収納状態を示す縦断正面図である。
【図５】実施例１の床置き型盆提灯を示す底面図である。
【考案を実施するための形態】
【０００９】
以下にこの考案の実施例を図面に基づいて説明する。
【実施例１】
【００１０】
まず、この実施例１の床置き型盆提灯を図面に基づいて説明する。
この床置き型盆提灯Ａは、図１〜５に示すように、螺旋状に巻かれた骨１と、骨１の外周に紙等を張って袋状にした伸縮自在な火袋２と、木製又はプラスチック製の上加輪枠３及び下加輪枠４と、下加輪枠４に備えるローソクや電球等の光源５と、複数の伸縮棒（支持柱）６と、を主な構成として備えている。
【００１１】
さらに詳述すると、前記支持柱は、床置き型盆提灯Ａの使用時に火袋２を伸ばした使用形態に維持するために、上加輪枠３と下加輪枠４との間に装着されるもので、伸縮可能な伸縮棒６で構成されている。
【００１２】
伸縮棒６の上下両端には雄ネジ部６１、６２を備え、下端の雄ネジ部６２は下加輪枠４の床面４１を貫通して袋ナット６３でネジ止め固定され、上端の雄ネジ部６１は、上加輪枠３及び上加輪枠３上に備えた「手」７を貫通して袋ナット６４でネジ止め固定されている。
【００１３】
また、上加輪枠３の天井中央部には開口部３１を有し、この開口部３１から光源５の交換作業を行うことができる。
また、下加輪枠４の裏面には、半円形の短い３つの足４２を備えている。
【００１４】
この支持柱を構成する伸縮棒６は複数段に伸縮可能で火袋２の縦長さに応じて伸縮段数を任意に設定することができる。なお、伸縮棒の素材は任意であるが、ステンレス、プラスチック、カーボンファイバー、木等が用いられる。
【００１５】
前記火袋２の形状としては、円筒形の他に、球形の物等がある。
【００１６】
次に、この実施例１の作用を説明する。
この実施例１の床置き型盆提灯Ａでは、上述のように構成されるため、お盆に、床置き型盆提灯Ａを使用する時は、上加輪枠３と下加輪枠４を持って複数の伸縮棒６を引き伸ばすだけで火袋２が伸びてその状態（使用形態）が維持され、また、床置き型盆提灯Ａを収納する時は、上加輪枠３を下加輪枠４方向に押し付けて複数の伸縮棒６を縮めることで火袋２が縮んでコンパクトな収納形態となる。
【００１７】
次に、この実施例１の効果を説明する。
【００１８】
この実施例１の床置き型盆提灯Ａでは、上述のように、前記複数の支持柱が複数段に伸縮可能な伸縮棒６で構成されることで、床置き型盆提灯Ａの使用時には伸縮棒６を伸ばすだけで組立ての手間がかからず、収納する時は伸縮棒６を縮めるだけでそのままコンパクトに収納することができる。
従って、使用時と収納時に面倒な複数部品の組立て・分解作業の必要がなく取り扱いに極めて便利であるという効果が得られる。
【００１９】
以上本実施例を説明してきたが、本考案は上述の実施例に限られるものではなく、本考案の要旨を逸脱しない範囲の設計変更等があっても、本考案に含まれる。
【００２０】
例えば、実施例では、伸縮棒６の上端は、上加輪枠３及び上加輪枠３上に備えた「手」７を貫通してネジ止め固定された例を示したが、上加輪枠３の部分に固定してもよい。
【００２１】
また、実施例では、下加輪枠４の下に半円形状の短い足を備えたタイプを例にとって説明したが、長い足を備えたタイプにも本考案を適用することができる。
また、実施例図面では、盆提灯の形状として筒状のものを例にとって説明したが、その形状は任意である。
【符号の説明】
【００２２】
Ａ  床置き型盆提灯
１  骨
２  火袋
３  上加輪枠
３１  開口部
４  下加輪枠
４１  下加輪枠の床面
４２  足
５  光源
６  伸縮棒（支持柱）
６１  雄ネジ部
６２  雄ネジ部
６３  袋ナット
６４  袋ナット
７  手
【図１】
0003214332.tif 000003
【図２】
0003214332.tif 000004
【図３】
0003214332.tif 000005
【図４】
0003214332.tif 000006
【図５】
0003214332.tif 000007